(57)【特許請求の範囲】
【請求項１】
被験者の唇に２９０ｎｍ〜４２０ｎｍの波長の光を主に含む光を照射し、唇上の明度を観察することを特徴とする美容のための唇の荒れの評価方法。
【請求項２】
２９０ｎｍ〜４２０ｎｍの波長の光を主に含む光の光源が、ウッドランプ又は蛍光検査灯である請求項１記載の美容のための唇の荒れの評価方法。
【請求項３】
唇上の明度の観察を、写真撮影された画像で行う請求項１又は請求項２記載の美容のための唇の荒れの評価方法。
【請求項４】
写真撮影を、可視光に主に感光する一般家庭用銀塩写真又はデジタルカメラで行う請求項３記載の美容のための唇の荒れの評価方法。
【請求項５】
唇上の明度の観察を、唇近傍に明度彩度スケールを配置して、唇と明度彩度スケールを比較しながら行う請求項１ないし請求項４記載の何れかの請求項記載の美容のための唇の荒れの評価方法。
【請求項６】
明度彩度スケールが、マンセル表色系の白灰黒の明度スケールである請求項５記載の美容のための唇の荒れの評価方法。
【請求項７】
写真撮影を、唇と明度彩度スケールを並べて同時に行うものである請求項３記載の美容のための唇の荒れの評価方法。
【請求項８】
被験者の唇に２９０ｎｍ〜４２０ｎｍの波長の光を主に含む光を照射し、唇上の明度を観察することを特徴とする唇の明度の判定方法。
【請求項９】
２９０ｎｍ〜４２０ｎｍの波長の光を主に含む光の光源が、ウッドランプ又は蛍光検査灯である請求項８記載の唇の明度の判定方法。
【請求項１０】
唇上の明度の観察を、写真撮影された画像で行う請求項８又は請求項９記載の唇の明度の判定方法。
【請求項１１】
写真撮影を、可視光に主に感光する一般家庭用銀塩写真又はデジタルカメラで行う請求項１０記載の唇の明度の判定方法。
【請求項１２】
唇上の明度の観察を、唇近傍に明度彩度スケールを配置して、唇と明度彩度スケールを比較しながら行う請求項８ないし請求項１１記載の何れかの請求項記載の唇の明度の判定方法。
【請求項１３】
明度彩度スケールが、マンセル表色系の白灰黒の明度スケールである請求項１２記載の唇の明度の判定方法。
【請求項１４】
写真撮影を、唇と明度彩度スケールを並べて同時に行うものである請求項１０記載の唇の明度の判定方法。
【発明の詳細な説明】
【技術分野】
【０００１】
本発明は、唇の荒れの評価方法に関し、更に詳細には、特定の波長の光を用いて唇を観察することにより、唇表面の肉眼では見えない微細荒れを強調させて観察する唇の荒れの評価方法に関する。
【背景技術】
【０００２】
唇は美容上非常に大きなポイントであり、特に女性にとって唇の荒れは化粧上の大きな問題である。この唇の荒れの評価方法としては、唇表面を単純に目視観察又は写真観察する方法が考えられるが、感覚的、主観的であり、また美容上問題となる微妙な荒れの状態を多段階にレベル分けして評価することができなかった。
【０００３】
また、触診による方法もあるが、熟練した医者以外の評価者が被験者の唇に触れ、評価することは現実的には難しい。
【０００４】
そこで、水分含有量、水分蒸散量、不全角化状態を示す有核細胞比率等を用いて唇表面の状態を測定する方法が提案されているが（非特許文献１）、これらは吐息や唾液の影響を受けないように、鼻と口の間についたてを立てたり、長時間唇をなめないでいてもらうことが必要であり、極めて測定が面倒であった。また、直ぐに結果が判るものでもなく、簡便で正確な測定方法が求められている化粧料の研究開発や宣伝販売等の分野においては、このような方法では不充分であった。
【０００５】
一方、ウッドランプ又は蛍光検査灯により皮膚病を診断する方法も知られている（非特許文献２）。しかしながら、この方法は、白癬で傷害された部分が蛍光を発生したり、細菌類が生成するポルフィリン体が蛍光を発生することを利用して、ウッドランプ又は蛍光検査灯の紫外線を皮膚などに照射し、そこから発生する可視部の蛍光を観察するものであり、感染性の微生物の有無を調べることを目的としたものであった。
【０００６】
【非特許文献１】香粧会誌，１３（２）,６４（１９８９）
【非特許文献２】皮膚科診療プラクティス,１４.機器を用いたスキンクリニック,                      １８９（２００２）
【発明の開示】
【発明が解決しようとする課題】
【０００７】
本発明はかかる技術背景に鑑みてなされたものであり、その課題は、唇の荒れの状態を、客観的に、多段階にレベル分けして測定することのできる、簡便、正確な唇の荒れ評価方法を提供することにある。
【課題を解決するための手段】
【０００８】
本発明者らは上記課題を解決すべく鋭意検討を行った結果、特定の波長の光によって唇を照射し、その状態で観察すれば、唇の荒れが著しく強調されることを見出し本発明に至った。
【０００９】
すなわち本発明は、被験者の唇に２９０ｎｍ〜４２０ｎｍの波長の光を主に含む光を照射し、唇上の明度を観察することを特徴とする唇の荒れの評価方法を提供するものである。
【発明の効果】
【００１０】
本発明によれば、唇の荒れた部分が、荒れていない部分に比較し、高い明度となるので、荒れた部分のみがコントラストよく明るく示され、容易に他の部分と区別して観察される。従って、本発明により唇の荒れの状態を、簡便、正確に、客観的に多段階にレベル分けして、判定することが可能になる。
【発明を実施するための最良の形態】
【００１１】
本発明は、被験者の唇に２９０ｎｍ〜４２０ｎｍの波長の光を主に含む光を照射して唇上の明度を観察することにより実施される。本発明方法において、２９０ｎｍ〜４２０ｎｍの波長の光を主に含む光とは、波長が２９０ｎｍ〜４２０ｎｍの範囲にある光の強度が、照射する全波長の光の強度に対して、７０％以上である光を言う。更に、上記波長範囲にある光の強度は、好ましくは、８０％以上であり、特に好ましくは９５％以上である。２９０ｎｍ〜４２０ｎｍの波長の光の強度が相対的に少なすぎると、唇の荒れ部分の明度が他の部分に比較して充分に大きくならず、通常の蛍光灯や太陽光線下で観察したのと変わりがなくなる場合がある。すなわち、唇の荒れている部分と荒れていない部分のコントラストが大きくならない場合があり、唇の荒れ状態を観察できなくなることがある。
【００１２】
好ましくは、３００ｎｍ〜４００ｎｍの波長の光を主に含む光である。
【００１３】
更に、本発明においては、唇に照射する光として、３００ｎｍ未満の波長の光を積極的にカットする必要はないが、３００ｎｍ未満の波長の光は、人の目への害があるのでアイマスクをする等の工夫が必要であるため、３００ｎｍ以上の光を用いることが好ましい。また、４００ｎｍを超える波長の光を用いると、唇の荒れ状態が観察されにくくなる。
【００１４】
上記２９０ｎｍ〜４２０ｎｍの波長の光を主に含む光の光源は特に限定はなく、少なくとも２９０ｎｍ〜４２０ｎｍの波長の光を含む光の光源に、必要であれば、２９０ｎｍ〜４２０ｎｍ以外の波長の光をカットするフィルターを組み合わせて使用することもできるし、あるいは、２９０ｎｍ〜４２０ｎｍの波長範囲の光を主に発する光源を使用することもできる。
【００１５】
上記の光源として具体的には、例えば、低圧水銀灯、高圧水銀灯、超高圧水銀灯、キセノンランプ、メタルハライドランプ、ウッドランプ、蛍光検査灯等が挙げられ、必要に応じてフィルターを組み合わせて使用できる。好ましくは、ウッドランプ又は蛍光検査灯である。更に蛍光検査灯としては、Ｌ型蛍光検査灯が特に好ましい。
【００１６】
一方、上記２９０ｎｍ〜４２０ｎｍの波長の光の照射を受けた唇上の明度の観察は、直接目視によって行うこともできるし、一旦写真撮影をして、その写真上で明度の観察もできる。写真撮影は、可視光に主に感光する一般家庭用銀塩写真又はデジタルカメラで行うことが好ましい。得られた写真を目視したり、反射濃度計等でその写真の特定部分の明度を測定することによっても行うことができる。また、デジタルカメラで撮影して、コンピュータ上で明度を測定することもできる。測定結果を保存でき、一見して唇の荒れ状態が判るので、撮影された写真を目視観察する方法が好ましい。
【００１７】
唇の明度の観察における写真撮影に用いられる記録媒体としては、特に限定はなく、可視光に主に感光する一般家庭用銀塩写真又は一般のデジタルカメラを用いることが、汎用性があり簡便であるために好ましい。また、カラーで記録してもよいし、白黒で記録してもよい。
【００１８】
唇上の明度の観察に際しては、比較のために唇の近傍に明度彩度スケールを配置することが好ましい。唇と明度彩度スケールを並べて同時に写真撮影することによって、撮影条件が異なってもそれを校正することが可能であり、また、多段階に区分された明度彩度スケールと比較することによって、唇の荒れを定量化することができる。
【００１９】
上記の明度彩度スケールとしては、対照が複数個配列されていれば特に限定はないが、マンセル表色系を用いることが好ましい。マンセル表色系は、マンセル色相環のうち２９０ｎｍ〜４２０ｎｍの光を吸収するものであればどれを用いてもよいが、無彩色の白灰黒の明度スケールを用いることが好ましい。白灰黒の明度スケールとしては、少なくとも明度Ｎ３〜Ｎ７の範囲は、３段階以上、特に好ましくは５段階以上に分割されているものが好ましい。
【００２０】
本発明方法は、２９０ｎｍ〜４２０ｎｍの波長の光を主に含む光を被験者の唇に照射したときの、唇の荒れた部分と、荒れていない部分の明度の差が、白色光を照射したときの差に比較して著しいという現象を利用したものである。この理由は明らかではないが、荒れた唇に２９０ｎｍ〜４２０ｎｍの波長の光を主に含む光を照射すると、４００ｎｍ〜６００ｎｍの蛍光を発するためと考えられる。
【実施例】
【００２１】
次に、実施例を挙げて本発明を更に説明するが、本発明はこれら実施例に限定されるものではない。
【００２２】
実 施 例  １
以下の本発明評価法により、唇の荒れを段階値で評価した。また、後記する比較評価方法により同じ唇を評価し、横軸に本発明評価方法で求めた段階値を、縦軸に従来の方法である比較評価方法による平均比較段階値をプロットした、この結果を図１に示す。図１から解るように、本発明評価方法によれば、段階値２〜５の微妙な判定が可能であり、それらが明確に区別できたのに対し、比較評価方法では、その差が明確に測定できなかった。
【００２３】
本発明評価方法：
被験者の唇を洗顔料にて洗浄し、２５℃、相対湿度５０％の環境試験室に１時間居てもらった後、ウッドランプカメラ（タカラベルモント社製ＢＭ−ＷＤＣＮ型；照射波長２９０〜４１０ｎｍ）で写真撮影を行った。フィルムはポラロイド社製自己現像方式カラーフィルム Ｔ−７７９を用いた。このとき、下記の明度スケールを被験者のあごに貼り付けて写真撮影を行った。同様な測定を２０人の被験者に対して行い、２０枚の写真画像を得た。次いで、上記測定方法で得られた２０の印画紙上の唇画像を目視で観察し、それぞれ下記の判定基準で評価した。
【００２４】
＜明度スケールの作成＞
マンセル表色系のなかで、白灰黒の明度（Ｖ）の中から、以下の１０レベルを選んで明度スケールを作成した。明度スケールは、各明度Ｎｏ．の１ｃｍ×１ｃｍの正方形を横２列に並べて作成した。下列は左から明度Ｎｏ．（１）からＮｏ．（５）、上列は左からＮｏ．（６）からＮｏ．（１０）とした（図４参照）。
【００２５】
明度Ｎｏ．  マンセル白灰黒の明度（Ｖ）と名称
（１）        Ｎ９．５    ＊純白
（２）        Ｎ８．５    ＊オフ・ホワイト
（３）        Ｎ７．５    ＊銀ねず
（４）        Ｎ６．５    ＊灰色
（５）        Ｎ５．５    ＊素ねず
（６）        Ｎ５        ＊グレイ
（７）        Ｎ４        ＊鈍色
（８）        Ｎ３        ＊チャコール・グレイ
（９）        Ｎ２        ＊墨色
（１０）        Ｎ１        ＊漆黒
【００２６】
＜判定基準＞
【表１】
0004723191.tif 000002
【００２７】
比較評価方法：
被験者の唇を洗顔料にて洗浄し、２５℃、５０％の環境試験室中に１時間居てもらった後、白色光を用いて、唇を直接目視観察した。観察は、専門の官能評価者３名が、下記白色光目視判定基準（非特許文献１の表１に示された判定基準）に従って行い、３名の官能評価者の比較段階値の平均値を求め、これを「平均比較段階値」とした。同一被験者２０人について、上記平均比較段階値をそれぞれ求めた。
【００２８】
＜白色光目視判定基準＞
比較段階値    判定        判定基準（唇の状態）
５      とてもよい      正常
４      普通            微細鱗屑（かさつき）
３      やや悪い        落ち屑中程度（皮むけ）
２      かなり悪い      落屑顕著（皮むけ）
１      大変悪い        亀裂（切れ）
【００２９】
なお、本発明評価方法での段階値１の唇写真例を図２（ａ）に、段階値５の唇写真例を図２（ｂ）に示す。図２から明らかなように、本発明評価方法によると、荒れた唇（ａ）と正常な唇（ｂ）の差が著しく強調されて測定できた。
【００３０】
また、図２（ａ）だけを見ても、荒れた部分の明度が正常部分に比べて著しく高くなっており、本発明の唇の荒れの評価方法が優れたものであることが示された。
【００３１】
一方、比較のために図３に示した白色光での写真では、荒れている部分と荒れていない部分のコントラストがほとんどなく、更に本願発明の評価法で段階値１とされた荒れた唇（図３（ａ））と段階値５とされた正常な唇（図３（ｂ））との間にほとんど差異が見られなかった。
【００３２】
また、図４に示したように、明度彩度スケールを唇近傍に配置することによって、写真撮影における露光条件の違いを校正でき、段階評価が正確にできることも示された。
【産業上の利用可能性】
【００３３】
本発明の唇の荒れの評価方法は、唇の荒れ状態を容易かつ簡便に、しかも客観的に評価することができるのである。従って、美容などにおいて唇の状態を示すことに役立つとともに、口唇用化粧料の研究開発や、その宣伝販売にも役立つものである。
【図面の簡単な説明】
【００３４】
【図１】本願発明の測定方法による段階値と従来の測定方法による平均比較段階値との関係を示す図である。
【図２】本願発明の測定方法による唇の写真である。
【図３】白色光による唇の写真である。
【図４】明度彩度スケールと共に撮影した唇の写真である。                                                                  以  上
【図１】
0004723191.tif 000003
【図２】
0004723191.tif 000004
【図３】
0004723191.tif 000005
【図４】
0004723191.tif 000006